(57)【要約】【課題】  不正な流通を抑制することができる車載装置を提供すること。【解決手段】  制御回路３は、暗証番号の入力の指示があるか否かを判定し、指示がある場合は暗証番号の入力を受付ける。次に、制御回路３は、ナビゲーション装置１と車載バッテリー９とが切断されているか否かを確認し（ステップＳ３）、ナビゲーション装置１と車載バッテリー９とが切断されたと判定した場合は、ナビゲーション装置１と車載バッテリー９とが切断されたことを示す信号（切断信号）を記憶部４に記憶する（ステップＳ４、ステップＳ５）。そして、制御回路３は、暗証番号が入力されたか否かを確認し（ステップＳ６）、正規の暗証番号が入力されている場合は、取外許可信号を記憶部４に記憶する（ステップＳ７、ステップＳ９）。一方、制御回路３は、正規の暗証番号が入力されてない場合は、取外不許可信号を盗難履歴として記憶部４に記憶する（ステップＳ７、ステップＳ８）。【選択図】        図２
2005190165.tif 000002
【特許請求の範囲】
【請求項１】
車載バッテリーと車載装置とが切断されたことを検出する切断検出手段と、
前記切断されたことを記憶する記憶手段と、
ユーザ認証信号を入力する入力手段と、
前記車載装置が盗難品であることを示す盗難情報を報知する報知手段と、
前記車載バッテリーから電源供給されると、前記切断されたことが記憶されているか否か及び正規のユーザ認証信号が入力されたか否かを確認し、当該切断されたことが記憶されており、かつ、当該正規のユーザ認証信号が入力されていない場合、前記報知手段にて盗難情報を報知する制御手段と、
を備えることを特徴とする車載装置。
【請求項２】
前記切断検出手段は、前記車載バッテリーからの電圧値を検出する電圧検出手段を備えることを特徴とする請求項１に記載の車載装置。
【請求項３】
前記制御手段は、前記切断されたことが記憶されており、かつ、前記ユーザ認証信号が入力されていない場合、前記報知手段にて盗難情報を報知すると共に当該車載装置を使用不能にすることを特徴とする請求項１又は請求項２に記載の車載装置。
【請求項４】
車載バッテリーと車載装置とが切断されると予め記憶されていた切断検出信号が揮発する揮発性の記憶手段と、
ユーザ認証信号を入力する入力手段と、
車載装置が盗難品であることを示す盗難情報を報知する報知手段と、
前記車載バッテリーから電源供給されると、前記記憶手段に切断検出信号が記憶されているか否か及び正規のユーザ認証信号が入力されたか否かを確認し、当該切断検出信号が記憶されておらず、かつ、当該正規のユーザ認証信号が入力されていない場合、前記報知手段にて盗難情報を報知する制御手段と、
を備えることを特徴とする車載装置。
【請求項５】
前記制御手段は、前記切断検出信号が記憶されておらず、かつ、前記ユーザ認証信号が入力されていない場合、前記報知手段にて盗難情報を報知すると共に当該車載装置を使用不能にすることを特徴とする請求項４に記載の車載装置。
【請求項６】
前記盗難情報には、連絡先が含まれることを特徴とする請求項１乃至請求項５のいずれかに記載の車載装置。
【請求項７】
前記報知手段による報知及び／又は前記制御手段による使用不能を解除する解除手段を備えることを特徴とする請求項１乃至請求項６のいずれかに記載の車載装置。
【請求項８】
前記制御手段は、前記車載装置が前記車載バッテリーから切断される前、あるいは、切断後に再度車載バッテリーに接続された時のいずれかにおいて、前記入力手段によるユーザ認証信号の入力を受け付けることを特徴とする請求項１乃至請求項７のいずれかに記載の車載装置。
【請求項９】
車載装置において用いられるプログラムであって、
前記プログラムは、車載バッテリーと車載装置とが切断されたことを検出する機能と、
前記切断されたことを記憶する機能と、
前記車載バッテリーから電源供給されると、当該車載バッテリーと当該車載装置とが切断されたか否か及びユーザ認証信号を入力する入力手段から正規のユーザ認証信号が入力されたか否かを確認し、当該車載バッテリーと当該車載装置とが切断されており、かつ、当該正規のユーザ認証信号が入力されていない場合、当該車載装置が盗難品であることを示す盗難情報を報知する機能と、
を前記車載装置に実行させることを特徴とするプログラム。
【請求項１０】
請求項９に記載のプログラムにおいて、電圧検出手段にて検出された前記車載バッテリーからの電圧値に基づいて前記車載バッテリーと前記車載装置とが切断されたか否かを検出する機能を実行させることを特徴とするプログラム。
【請求項１１】
請求項９または請求項１０に記載のプログラムにおいて、前記切断されたことが記憶されており、かつ、前記ユーザ認証信号が入力されていない場合、前記盗難情報を報知すると共に前記車載装置を使用不能にする機能を実行させることを特徴とするプログラム。
【請求項１２】
車載装置において用いられるプログラムであって、
前記プログラムは、車載バッテリーから電源供給されると、車載バッテリーと車載装置とが切断されると予め記憶されていた切断検出信号が揮発するよう構成された揮発性の記憶手段に切断検出信号が記憶されているか否か及びユーザ認証信号を入力する入力手段から正規のユーザ認証信号が入力されたか否かを確認し、当該切断検出信号が記憶されておらず、かつ、当該正規のユーザ認証信号が入力されていない場合、当該車載装置が盗難品であることを示す盗難情報を報知する機能と、
を前記車載装置に実行させることを特徴とするプログラム。
【請求項１３】
請求項１２に記載のプログラムにおいて、前記切断検出信号が記憶されておらず、かつ、前記ユーザ認証信号が入力されていない場合、前記盗難情報を報知すると共に前記車載装置を使用不能にする機能を実行させることを特徴とするプログラム。
【請求項１４】
請求項９乃至請求項１３のいずれかに記載のプログラムにおいて、前記盗難情報として連絡先が含まれる盗難情報を報知する機能を実行させることを特徴とするプログラム。
【請求項１５】
請求項９乃至請求項１４のいずれかに記載のプログラムにおいて、前記盗難情報の報知及び／又は前記車載装置の使用不能を解除する機能を実行させることを特徴とするプログラム。
【請求項１６】
請求項９乃至請求項１５のいずれかに記載のプログラムにおいて、前記車載装置が前記車載バッテリーから切断される前、あるいは、切断後に再度車載バッテリーに接続された時のいずれかにおいて、前記入力手段によるユーザ認証信号の入力を受け付ける機能を実行させることを特徴とするプログラム。
【発明の詳細な説明】
【技術分野】
【０００１】
本発明は、ナビゲーション装置などからなる車載装置に関するものである。
【背景技術】
【０００２】
従来より、カーステレオやナビゲーション装置などの車載装置の盗難を防止する盗難防止装置として、特許文献１に示される盗難防止装置が知られている。
【０００３】
特許文献１における盗難防止装置は、警報器、警報器の作動を制御するスイッチ、及びカーステレオやナビゲーション装置などの車載装置の移動を検知する移動検知手段を備える。そして、この盗難防止装置は車載装置が配設位置から移動させられると、移動検知手段によってスイッチが操作されて警報器が作動する。
【特許文献１】実開昭５４−１３８８号公報
【発明の開示】
【発明が解決しようとする課題】
【０００４】
しかしながら、上述のような盗難防止装置を用いているにも関わらず車載装置が盗難される場合があり、その盗難された車載装置は転売など不正に流通されてしまうという問題があった。
【０００５】
本発明は、上記問題点に鑑みなされたものであり、不正な流通を抑制することができる車載装置を提供することを目的とするものである。
【課題を解決するための手段】
【０００６】
上記目的を達成するために請求項１に記載の車載装置は、車載バッテリーと車載装置とが切断されたことを検出する切断検出手段と、切断されたことを記憶する記憶手段と、ユーザ認証信号を入力する入力手段と、車載装置が盗難品であることを示す盗難情報を報知する報知手段と、車載バッテリーから電源供給されると、切断されたことが記憶されているか否か及び正規のユーザ認証信号が入力されたか否かを確認し、切断されたことが記憶されており、かつ、正規のユーザ認証信号が入力されていない場合、報知手段にて盗難情報を報知する制御手段とを備えることを特徴とするものである。
【０００７】
このように、車載装置が車載バッテリーから切断され、かつ、ユーザ認証信号が入力されていない場合、この車載装置が盗難品であることを示す盗難情報を報知するので、車載装置の不正な流通を抑制することができる。
【０００８】
また、請求項２に記載の車載装置では、切断検出手段は、車載バッテリーからの電圧値を検出する電圧検出手段を備えることを特徴とするものである。
【０００９】
このように、車載バッテリーからの電圧値を検出することによって車載装置が車載バッテリーから切断されたことを検出できる。
【００１０】
また、請求項３に記載の車載装置では、制御手段は、切断されたことが記憶されており、かつ、ユーザ認証信号が入力されていない場合、報知手段にて盗難情報を報知すると共に車載装置を使用不能にすることを特徴とするものである。
【００１１】
このように、車載装置が車載バッテリーから切断され、かつ、ユーザ認証信号が入力されていない場合に、車載装置を使用不能にするので、たとえ車載装置が盗難されたとしてもその車載装置を使用できないようにすることができる。
【００１２】
また、請求項４に記載の車載装置では、車載バッテリーと車載装置とが切断されると予め記憶されていた切断検出信号が揮発する揮発性の記憶手段と、ユーザ認証信号を入力する入力手段と、車載装置が盗難品であることを示す盗難情報を報知する報知手段と、車載バッテリーから電源供給されると、記憶手段に切断検出信号が記憶されているか否か及び正規のユーザ認証信号が入力されたか否かを確認し、切断検出信号が記憶されておらず、かつ、正規のユーザ認証信号が入力されていない場合、報知手段にて盗難情報を報知する制御手段とを備えることを特徴とするものである。
【００１３】
このように、揮発性の記憶手段に切断検出信号を記憶させておくことによって、車載装置が車載バッテリーから切断されると記憶手段も車載バッテリーから切断されるので、記憶手段に記憶させておいた切断検出信号が消去され車載装置が車載バッテリーから切断されたことを検出することができる。
【００１４】
また、請求項５に記載の表示装置での作用・効果に関しては、上述の請求項３と同様であるため説明を省略する。
【００１５】
また、請求項６に記載の車載装置では、盗難情報には、連絡先が含まれることを特徴とするのである。このように、盗難情報に連絡先が含まれていると、盗難された車載装置を取得した者に通報を促すことができる。
【００１６】
また、請求項７に記載の車載装置では、報知手段による報知及び／又は制御手段による使用不能を解除する解除手段を備えることを特徴とするものである。このように、報知手段による報知及び／又は制御手段による使用不能を解除する解除手段を設けることによって、車載装置がユーザの手元に戻ってきた場合に通常通り使用できる。
【００１７】
また、請求項８に記載の車載装置では、制御手段は、車載装置が車載バッテリーから切断される前、あるいは、切断後に再度車載バッテリーに接続された時のいずれかにおいて、入力手段によるユーザ認証信号の入力を受け付けることを特徴とするものである。
【００１８】
このように、車載装置が車載バッテリーから切断される前、あるいは、切断後に再度車載バッテリーに接続された時のいずれかにおいてユーザ認証信号が受け付けられるので、誤って車載装置を車載バッテリーから切断したとしても、報知手段によって盗難情報が報知されるのを防止できる。
【００１９】
また、請求項９乃至請求項１６に記載の表示装置での作用・効果に関しては、上述の請求項１乃至請求項８と同様であるため説明を省略する。
【発明を実施するための最良の形態】
【００２０】
以下、本発明の実施の形態を図に基づいて説明する。なお、本実施の形態においては、車載装置を車載ナビゲーション装置に適用した例について説明する。図１は、本発明の実施の形態におけるナビゲーション装置１の概略構成を示すブロック図である。
【００２１】
ナビゲーション装置１は、演算装置２、アンプ６、表示装置７、操作スイッチ８などを備える。また、ナビゲーション装置１は、車載バッテリー９と接続され、アクセサリースイッチオン時には車載バッテリー９から電源供給を受けて各種のナビゲーション処理を実行する。更に、ナビゲーション装置１は、アクセサリースイッチがオフされている間にも直接車載バッテリー９からの電源供給を受けて、少なくとも後述する車載バッテリー９との接続状態の監視、切断時の記憶などの盗難防止処理を実行する。なお、車載バッテリー９から切断されてから所定時間の間は、ナビゲーション装置１は車載バッテリー９に接続されたバックアップコンデンサからなる内部電源５から電源供給を受けて動作する。
【００２２】
なお、ナビゲーション装置１は図示しないが、地磁気センサ、ジャイロスコープ、距離センサ、ＧＰＳ受信機などからなる現在位置検出器、及び道路脇施設データ、地図データ、目印データ、背景データ等のデータを記憶している地図データ記憶装置などを備える。
【００２３】
演算装置２は、通常のコンピュータとして構成されており、制御回路３、記憶部４、内部電源５及びこれらの構成を接続するバスラインを備える。
【００２４】
制御回路３は、ＣＰＵ、ＲＯＭ、ＲＡＭなどを備え、ＲＯＭに記憶されたプログラムに従って案内経路設定などの演算処理を実行する。また、制御回路３は、車載バッテリー９の端子間の電位差、つまり車載バッテリー９の電圧値を検出する電圧検出部を備える。制御回路３は、電圧検出部の検出結果である電圧値がゼロであるか否かによって、ナビゲーション装置１が車載バッテリー９から切断されているか否かを判定し、切断されていれば切断信号を記憶部４に記憶する。
【００２５】
また、車載バッテリー９から切断されてから所定時間の間は、制御回路３は、内部電源５からの電源供給によって動作し、現在位置データや切断信号を記憶部４に記憶する。
【００２６】
記憶部４は、不揮発性のメモリ（ＥＰＲＯＭなど）であり、上述の現在位置データや切断信号の他にも、後ほど説明する取外許可信号、取外不許可信号、及びナビゲーション装置１のユーザ情報（暗証番号、連絡先など）なども記憶している。この暗証番号は、ナビゲーション装置１を車載バッテリー９から取外したりする際のユーザ認証に用いられるものであり、予めユーザやディーラなどによって入力され、記憶部４に記憶される。
【００２７】
アンプ６は、車室内に設けられたスピーカと接続されており、演算装置２からの音声信号に基づいてスピーカから案内音声等を出力する。表示装置７は、例えば液晶ディスプレイによって構成され、地図データ記憶装置より入力された地図情報によって生成される車両周辺の道路地図や、操作スイッチ８としてのタッチスイッチなどを表示する。
【００２８】
操作スイッチ８は、例えば、表示装置７の周囲に設置されたメカニカルなスイッチや、表示装置７と一体となったタッチスイッチなどからなる。この操作スイッチ８を押圧操作することによって暗証番号や操作信号などが制御回路３に入力される。
【００２９】
また、ナビゲーション装置１が故障した時などは、ナビゲーション装置１を車載バッテリー９から取外して修理を行う場合もある。このような場合、操作スイッチ８にて暗証番号を制御回路３に入力する。制御回路３は入力された暗証番号が記憶部４に記憶された暗証番号と所定の対応関係にあるか否かを判定する。
【００３０】
そして、制御回路３は入力された暗証番号が記憶部４に記憶された暗証番号と所定の対応関係にあると判定した場合は、正規の暗証番号が入力されたことを示す信号（取外許可信号）を記憶部４に記憶する。一方、制御回路３は入力された暗証番号が記憶部４に記憶された暗証番号と所定の対応関係にないと判定した場合は、正規の暗証番号が入力されてないことを示す信号（取外不許可信号）を記憶部４に記憶する。なお、以下、切断信号及び取外不許可信号を盗難履歴とも称する。
【００３１】
ここで、本実施の形態におけるナビゲーション装置１の盗難防止処理に関して説明する。この盗難防止処理は、ナビゲーション装置１が車載バッテリー９から切断される時の処理と、再度車載バッテリー９に接続され電源オンされた時の処理からなる。図２は、本発明の実施の形態におけるナビゲーション装置１が車載バッテリー９から切断される時の処理を示すフロー図である。図３は、本発明の実施の形態におけるナビゲーション装置１が車載バッテリー９から電源供給された時点の処理を示すフロー図である。
【００３２】
まず、車載バッテリー９から切断される時のナビゲーション装置１の処理について図２に基づいて説明する。この処理は、所定周期毎に実行される。
【００３３】
ステップＳ１では、制御回路３は、暗証番号の入力の指示があるか否かの判定を行う。これは、操作スイッチ８の押圧操作によって暗証番号が制御回路３に入力されるか否かを判定するものである。制御回路３に暗証番号の入力指示がある場合は、ステップＳ２へ進み、制御回路３に暗証番号の入力指示がない場合は、ステップＳ３へ進む。
【００３４】
ステップＳ２では、制御回路３は、操作スイッチ８からの暗証番号の入力を受付け、その暗証番号をＲＡＭなどに一時的に記憶させておく。
【００３５】
ステップＳ３では、制御回路３は、電圧検出部にて検出した車載バッテリー９の電圧値に応じてナビゲーション装置１と車載バッテリー９との接続状態を確認する。
【００３６】
ステップＳ４では、制御回路３は、電圧検出部にて検出した電圧値がゼロである場合にはナビゲーション装置１と車載バッテリー９とが切断されたと判定し、電圧値がゼロでない場合にはナビゲーション装置１と車載バッテリー９とは切断されていないと判定する。制御回路３は、ナビゲーション装置１と車載バッテリー９とが切断されたと判定した場合は、ステップＳ５へ進み、ナビゲーション装置１と車載バッテリー９とが切断されていないと判定した場合は、ステップＳ１へ戻る。
【００３７】
ステップＳ５では、制御回路３は、ナビゲーション装置１と車載バッテリー９とが切断されたことを示す信号（切断信号）を盗難履歴として記憶部４に記憶する。
【００３８】
ステップＳ６では、制御回路３は、正規の暗証番号が入力されたか否かを確認する。
【００３９】
ステップＳ７では、制御回路３は、正規の暗証番号が入力されている場合、すなわち操作スイッチ８にて入力された暗証番号が記憶部４に記憶された暗証番号と所定の対応関係にある場合は、ステップＳ９にて正規の暗証番号が入力されたことを示す信号（取外許可信号）を記憶部４に記憶して処理を終了する。一方、制御回路３は、正規の暗証番号が入力されてない場合は、ステップ８へ進む。
【００４０】
ステップＳ８では、制御回路３は、正規の暗証番号が入力されていないことを示す信号（取外不許可信号）を盗難履歴として記憶部４に記憶する。
【００４１】
次に、ナビゲーション装置１が車載バッテリー９から電源供給された時点の処理について図３に基づいて説明する。この処理は、車載バッテリー９に接続され電源オンされた時点毎に実行される。
【００４２】
ステップＳ１１では、制御回路３は、記憶部４の記憶内容を確認する。すなわち、制御回路３は、記憶部４にナビゲーション装置１と車載バッテリー９とが切断されたことを示す信号（切断信号）と正規の暗証番号が入力されていないことを示す信号（取外不許可信号）とが記憶されているか否かを確認する。
【００４３】
ステップＳ１２では、制御回路３は、ステップＳ１１にて確認した記憶部４の記憶内容に盗難履歴（切断信号、取外不許可信号）が有るか否かを判定する。制御回路３は、記憶部４に盗難履歴がある場合、すなわち記憶部４にナビゲーション装置１が車載バッテリー９から取外されたことを示す信号（切断信号）、及び正規の暗証番号が入力されていないことを示す信号（取外不許可信号）がある場合はステップＳ１３へ進む。
【００４４】
一方、制御回路３は、盗難履歴が記憶部４にない場合、すなわち記憶部４にナビゲーション装置１が車載バッテリー９から取外されたことを示す信号（切断信号）がないか、あるいは正規の暗証番号が入力されたことを示す信号（取外許可信号）が記憶部４にある場合は処理を終了する。
【００４５】
ステップＳ１３では、制御回路３は、表示装置７にて「このナビゲーション装置は盗難品！持ち主は○○です。連絡をお願いします」などの警告を出力する。
【００４６】
ステップＳ１４では、制御回路３は、正規の暗証番号が入力されたか否かを確認する。すなわち制御回路３は、操作スイッチ８にて入力された暗証番号が記憶部４に記憶された暗証番号と所定の対応関係にあるか否かを確認する。これは、ステップＳ１３にて行われた警告を解除するか否かを確認するためであり、正規の暗証番号が入力された場合はユーザによる警告解除操作とみなす。このように、暗証番号を入力することによって警告を解除できるので、車載装置がユーザの手元に戻ってきた場合に通常通り使用できる。
【００４７】
ステップＳ１５では、制御回路３は、正規の暗証番号が入力された場合、すなわち操作スイッチ８にて入力された暗証番号が記憶部４に記憶された暗証番号と所定の対応関係にある場合は、ユーザによる警告解除操作とみなしてステップＳ１６に進む。ステップＳ１６では、制御回路３は、表示装置７にて出力していた警告を解除する。
【００４８】
一方、操作スイッチ８にて正規の暗証番号が入力されてない場合は、警告解除操作なしとみなしてステップ１３へ戻る。
【００４９】
なお、本実施の形態においては、表示装置７にて警告を出力する例を説明したが、本発明はこれに限定されるものではなく、アンプ６に接続されたスピーカにて警告を出力するようにしてもよい。
【００５０】
なお、制御回路３は、表示装置７にて警告を出力すると共に、ナビゲーション装置１の所定の機能を停止しても良い。この場合においても、上述のステップＳ１４乃至ステップＳ１５にて説明したのと同様に、正規の暗証番号を入力することによって機能の停止を解除できるものである。
【００５１】
なお、本実施の形態においては、電圧検出部にてナビゲーション装置１と車載バッテリー９とが接続されているか否かを検出する例を説明したが本発明はこれに限定されるものではない。例えば、演算装置２に車載バッテリー９に電源バックアップされた揮発性の記憶部（ＲＡＭ、ＳＲＡＭなど）を設け、この記憶部に所定の信号を記憶させておく。このようにすることによって、ナビゲーション装置１と車載バッテリー９とが切断されると記憶部も車載バッテリー９から切断されるので、記憶部に記憶させておいた信号が消去されナビゲーション装置１と車載バッテリー９とが切断されたことを検出することができる。
【００５２】
なお、本実施の形態におけるステップＳ４の判定は、ステップＳ１の判定から所定時間（例えば５分）以内の場合においてのみ有効とするようにしてもよい。例えば、ユーザがナビゲーション装置１を車載バッテリー９から切断するために暗証番号を入力した後、なんらかの理由によってナビゲーション装置１を車載バッテリー９に接続した状態で放置したとする。このような状況においては、悪意の第三者によってナビゲーション装置１が盗難される可能性がある。しかしながら、ステップＳ１の判定から所定時間（例えば５分）以内の場合においてのみステップＳ４の判定を有効とすることによって、上述のようなナビゲーション装置１が盗難を防止できる。
【００５３】
なお、本実施の形態においては、車載装置をナビゲーション装置１に適用した例について説明したが、本発明はこれに限定されるものではない。例えば、カーテレビやカーオーディオなどの車載装置であってもよい。
【図面の簡単な説明】
【００５４】
【図１】本発明の実施の形態におけるナビゲーション装置１の概略構成を示すブロック図である。
【図２】本発明の実施の形態におけるナビゲーション装置１が車載バッテリー９から切断される時の処理動作を示すフロー図である。
【図３】本発明の実施の形態におけるナビゲーション装置１が車載バッテリー９から電源供給された時点の処理動作を示すフロー図である。
【符号の説明】
【００５５】
１  ナビゲーション装置、２  演算装置、３  制御回路、４  記憶部、５  内部電源、６  アンプ、７  表示装置、８  操作スイッチ、９  車載バッテリー
【図１】
2005190165.tif 000003
【図２】
2005190165.tif 000004
【図３】
2005190165.tif 000005